(57)【要約】【目的】安価で簡便に製造でき、視認性がよく、読み込み精度のよいＯＭＲ用マークシート【構成】本特許はＯＭＲ用マークシートの構成に関するものであって、ガイドマークの図柄がＯＭＲ装置の回答マーク読み込み余裕領域外に構成することによって、１つの原版を用い、１つのインクによって印刷できるマークシートに関するものである。【選択図】  図２
2004206646.tif 000002
【特許請求の範囲】
【請求項１】
光学式マークリーダーが要求する回答マーク読み込み余裕領域の外部に、ガイドマークの図柄が配置されていることを特徴とする光学式マークリーダー用マークシート
【発明の詳細な説明】
【０００１】
【産業上の利用分野】
本特許は光学式マークリーダー（ＯＭＲ）用のマークシートの構成に関するものである。
【０００２】
【従来技術】
マークシートはアンケートや試験の解答をコンピュータに読み込ませるための回答用紙として利用されているものである。図１は従来のマークシートの例であって、１はマークシート、２はガイドマーク、３は質問項目、４はタイミングマーク、５は回答者が記載する回答マークである。この図に示されているように、マークシート１にはあらかじめ、複数のガイドマーク２が印刷されており、回答者は質問項目３に応じて、このガイドマークに回答マーク５を記載する。通常、回答マーク５はガイドマーク２を塗りつぶす、などの方法を質問者が指定する。このマークシート１に記入された回答マーク５は光学式マークリーダー、あるいはＯＭＲと呼ばれる装置によって読み込まれ、電子データとして利用される。タイミングマーク４は、マークシート１をＯＭＲにかけたときに、このタイミングマーク４の位置で、回答マーク５を読み込むタイミングを検知するためのマークである。
【０００３】
このように、回答マーク５とガイドマーク２はほぼ同じ位置にあるので、ＯＭＲ装置による読み込みに際しては、ガイドマーク２を検知することなく、回答マーク５のみを検知する工夫が必要となる。この工夫として、従来のマークシートにおいては、ガイドマーク印刷用インクとしてカーボンなどを含まないインクを用いてきた。この種のインクとしては、例えば染料系のカラーインクなどがこれにあたる。これは、回答者が鉛筆などでマークを付けることを想定したもので、この工夫によりガイドマークと回答マークを高いコントラストで識別することが可能となっていた。
【０００４】
一方、マークシートの一端には、ガイドマークとシートの相対的な位置をＯＭＲが自動認識するためのタイミングマーク４が印刷されている。このタイミングマーク４はガイドマーク２と反対に、ＯＭＲが認識することが前提なので、カーボンなどを含んだインクをタイミングマーク印刷用インクとして用いてきた。すなはち、従来のマークシートは、ＯＭＲが認識できるインクと、認識出来ないインクという２種類のインクを用いて印刷が行われるのが一般的であった。
【０００５】
【発明が解決しようとする課題】
このように、従来のマークシートは２種類のインクを用いて印刷していたため、２枚の印刷用版下を用意する必要があり、かつ、これら２枚の版の印刷には、精度のよい位置合わせ技術が必要であった。使用するインクにもＯＭＲ装置が認識できるものと出来ないものをそろえるという制約があった。したがって、価格が高価になるとともに、簡単な複写機や輪転機などでは作れないため、わずかのアンケート質問項目の変更などに迅速に対応できない、などの問題があった。また、ガイドマークは、通常、カラーの染料系インクを用いているので、視認性が悪いなどの問題があった。したがって、本発明が解決しようとする課題は、安価な１種類のインクを用いてマークシートの印刷をおこなうことによって、安価で、かつ簡便に製造でき、かつＯＭＲの読み込み誤りのないマークシートの構成を開発することである。また、本発明の目的は、マークシートの視認性や好感度を高めるために自由なインクを用いてデザインできるマークシートの開発も含まれている。
【０００６】
【課題を解決するための手段】
この様な課題を解決するために、本特許ではＯＭＲ装置の回答マーク読み込み余裕領域の範囲内に図柄がないガイドマークを用いることによって、ガイドマークとタイミングマークとを同一のインクで印刷でき、しかもガイドマークをＯＭＲが検知することなく、回答者には明瞭に認識できるようにしたものである。
【０００７】
【作用】
この様なガイドマークの構成によって、極めて安価で簡便に作成でき、かつ、回答者の視認性がよく、ＯＭＲでの読み込み精度のよいマークシートを実現することができる。
【０００８】
【実施例】
図２は本特許によるマークシートの例である。１はマークシート、２はガイドマーク、３は質問項目、４はタイミングマーク、５は回答マーク、６は回答マーク読み込み余裕領域の一例である。６の回答マーク読み込み余裕領域は、本来、各ガイドマーク２の各々に設定されているのであるが、煩雑さを避けるために１箇所のみ記述してある。
【０００９】
ガイドマーク２には上下に開口部があり、マーク位置は左右に偏在して構成されている。これはＯＭＲ中をマークシートが通過する、進行方向にガイドマーク２の図柄がないことを意味している。このマークシート１の読み込みの際には、例えば図２のマークシート１は、上から下にＯＭＲに読み込まれ、タイミングマーク４の位置までくると、その行のガイドマーク２を読み込むことになる。ＯＭＲは、このように読み込む性質上、ガイドマーク２の上下に対して、一定幅の回答マーク読み込み余裕領域６が設定されている。従って、このＯＭＲの回答マーク読み込み余裕領域６より充分ひろい範囲に、このガイドマーク２の図柄が存在しなければ、ガイドマーク２を回答マーク５と誤認することなく読み込みをおこなうことが可能となる。
【００１０】
このような構成になっているので、ＯＭＲによってマークシートのマークを読み込む際に、ガイドマーク２の図柄が回答マーク読み込み余裕領域６のなかに無いため、ガイドマークに惑わされることなく、回答マーク５を読み込むことが可能となる。また、このガイドマークであれば、回答者は、左右のマークを目安にして、マーキングすべき位置を容易に特定することができる。
【００１１】
図３は本特許によるＯＭＲ用ガイドマークの、他の構成例である。いずれの構成においても、ＯＭＲはガイドマークに惑わされることなく、回答者が記入したマークを読み込め、かつ、回答者がマーキング位置を容易に特定できることは明らかであろう。ガイドマークの上下に図柄がある場合であっても、ＯＭＲの回答マーク読み込み余裕領域外であれば、本特許の効果を得ることができることは明らかであるが、回答者がガイドマークとして視認し易いこと、回答者が付けるマークの位置がＯＭＲの回答マーク読み込み余裕領域内であることが求められること、マークとして、できるだけコンパクトにまとまっていること、などのガイドマークとして求められる要求条件を考慮すると、図３のような構成が望ましいことがわかる。
【００１２】
【発明の効果】
以上説明したように、この様な構成にすることによって、ガイドマークとタイミングマークとを、一つのインクで印刷しても、ＯＭＲでガイドマークを回答マークと誤認することなく読み込むことが可能になる。このインクとしては、通常、視認性がよく安価な、カーボン入りの黒色インクを用いることができるから、アンケートの表題や質問項目の印刷なども同一のインクを用いることができる。
【００１３】
また、最近は印刷技術が発達しているので、紙の外周からガイドマークまでの距離精度が向上してきている。したがって、タイミングマークを無くし、ガイドマークのみでマークシートを構成することも可能である。いずれの場合でも、ガイドマークの印刷には、通常用いられる安価なカーボン入りの黒色インクを用いることができることは明らかである。また、タイミングマークが不要の場合には、マークシート全体のデザインを考慮して、ガイドマークや質問項目を含めて、数種類のカラーのインクで印刷できることもあきらかであって、この場合、インクの種類を考慮する必要がなく、自由なカラーを使用できるという利点がある。
【００１４】
このように、極めて安価、かつ簡便でありながら、視認性がよく、回答のし易さに配慮したマークシートを実現することが出来る。また、回答マークを書き込む位置の、限定度を高めることができ、ＯＭＲでの読み込み精度を向上させることが可能である。
【図面の簡単な説明】
【図１】は従来の実施例
【図２】は本発明の第１の実施例
【図３】は本発明ガイドマーク部分の他の実施例
（ａ）ガイドマークの構成例１
（ｂ）ガイドマークの構成例２
（ｃ）ガイドマークの構成例３
（ｄ）ガイドマークの構成例４
（ｅ）ガイドマークの構成例５
【符号の説明】
１・・・・・・・・マークシート
２・・・・・・・・ガイドマーク
３・・・・・・・・質問項目
４・・・・・・・・タイミングマーク
５・・・・・・・・回答マーク
６・・・・・・・・回答マーク読み込み余裕領域の一例
【図１】
2004206646.tif 000003
【図２】
2004206646.tif 000004
【図３】
2004206646.tif 000005